(57)【要約】【課題】ネットワークが端末装置に識別すべきＵＭＴＳセルに関する情報を含むリストを送信し、移動端末装置が、セルを識別する一連の手続き、および識別されたセルに対する一連のシステム間測定を定期的に行うセルラー遠隔通信ネットワークにおいて、アイドルモードにある移動端末装置がセルを選択し直す方法を提供する。【解決手段】連続する２つの識別手続きの合間に、移動端末装置は、測定手続きとその後続の一連の識別手続きを行うのにかかる合計時間が２５秒間より短くなるように時間が固定された一連の測定手続きを行う。【選択図】図１
2004180325.tif 000002
【特許請求の範囲】
【請求項１】
セルラー遠隔通信ネットワークにおいてアイドルモードの移動端末装置がセルを選択し直すセル再選択方法であり、前記セルラー遠隔通信ネットワークにおいて前記ネットワークは前記移動端末装置に対して識別すべきＵＭＴＳセルに関する情報を含むリストを送信し、前記移動端末装置は前記セルの一連の識別手続き、および識別されたセルに対する一連のシステム間測定を定期的に行う、セルを再選択する方法であって、
２つの連続する識別手続きの合間に、前記端末装置は、測定手続きとそれに後続する一連の識別手続きを行うのにかかる合計時間が２５秒間より短くなるように時間が固定された一連の測定手続きを行う、セルを再選択する方法。
【請求項２】
前記端末装置は、新たなセルの識別後、長くても５秒間の最大時間の終りに確認測定を行う、請求項１に記載の方法。
【請求項３】
前記システム間測定とセルの前記識別手続きとが同じ頻度で行われる請求項１に記載の方法。
【請求項４】
前記システム間測定が、前記識別手続きの頻度より高い頻度で行われる請求項１に記載の方法。
【請求項５】
各セルに関して行われた前記測定を所定の選択基準と比較するステップと、
前記比較ステップの前記比較の結果に応じて前記ＵＭＴＳセルを再選択するステップと、
をさらに含む請求項１乃至４のいずれか１項に記載の方法。
【請求項６】
前記測定の平均値を得るようにスライドする時間窓に対して前記測定を行うステップをさらに含む、請求項５に記載の方法。
【請求項７】
ＧＳＭ−ＵＭＴＳデュアルモードの移動端末装置であって、
ＵＭＴＳセルを識別する一連の手続き、および前記識別されたセルに対する一連のシステム間測定を定期的に行う手段と、
ネットワークによって前記移動端末装置に示された複数のＵＭＴＳセルのうちから新たなＵＭＴＳセルを識別するための時間窓を２０秒毎に割り当てる手段であって、前記時間窓が、前記ネットワークのセルにおいて使用される様々な搬送周波数に交互に割り当てられる手段と、
同一の搬送周波数に属する既に識別された前記ＵＭＴＳセルに対する測定を５秒毎に同時に行う手段と、
を含む移動端末装置。
【請求項８】
識別され、所定の再選択の基準を満たす新たな各セルに対して確認測定を行う手段をさらに含み、前記確認測定が、その新たなセルが識別されてから遅くても５秒後に行われる、請求項７に記載の移動端末装置。
【発明の詳細な説明】
【技術分野】
【０００１】
本発明は、遠隔通信の分野に関し、より詳しくは、セルラー遠隔通信ネットワーク中のアイドルモード(idle mode)の移動端末装置によるセルを再選択する方法に関する。セルラー遠隔通信ネットワークでは、ネットワークは、移動端末装置に対し、識別すべきセルに関する情報を含むリストを送信し、移動端末装置は、それらのセルを識別する一連の手続き、および識別されたセルに対する一連のシステム間測定を定期的に行う。
【０００２】
また、本発明は、ＵＭＴＳ(Universal Mobile Telephone service)セルを識別する一連の手続き、および識別されたセルに対して一連のシステム間測定を定期的に行う手段を含む、ＧＳＭ(Global System for Mobile communication)−ＵＭＴＳデュアルモードの移動端末装置にも関する。
【背景技術】
【０００３】
セルラー網において、移動端末装置は、以下の説明では現在のセルと呼ぶことにする、そのネットワークの特定のセルに接続されている。
【０００４】
セルの再選択を準備するため、ネットワークは、移動端末装置に対し、現在のセルで実施されているものと同じでアクセス技術が実施されている隣接セルだけでなく異なるアクセス技術が実施されているセルを含むリストを送信する。
【０００５】
現在のセルのアクセス技術とは異なるアクセス技術を用いる無線アクセスネットワーク上で行われる測定をシステム間測定という。３ＧＰＰ(Third Generation Partnership Project)の技術規格には、識別されたセルに対してシステム間測定を行うための最小時間と最大時間、ならびにセルの再選択を行うための制限時間が規定されている。しかしながらこの規格は、通信を行っていない状態すなわちアイドルモードのＧＳＭ／ＵＭＴＳデュアルモードの端末装置が現在のＧＳＭセルからＵＭＴＳセルを選択し直すことを可能にするための特定の測定アルゴリズムの使用は、規定していない。
【０００６】
アイドルモードでは、端末装置は、自らのバッテリにおける可用なエネルギーを最大限に節約するため、「スリープ」状態に入ることを想い起こされたい。しかしながら、端末装置は、新たなセルを探索し、受信品質が現在のセルにおいて測定された品質よりも良好である場合にそれらのセルのうちの１つを選択し直すために、ときどき、「目覚め」なければならない。
【発明の開示】
【発明が解決しようとする課題】
【０００７】
本発明の目的は、移動端末装置のバッテリの寿命を延ばし、測定の信頼性を保ちながら、技術規格によってあらかじめ定められた遅延内に測定を行うことを可能にする、セルの再選択の方法を提供することにある。
【課題を解決するための手段】
【０００８】
本発明は、アイドルモードの移動端末装置がセルを再選択する方法であって、ネットワークが、その移動端末装置に対して、識別すべきＵＭＴＳセルに関する情報を含むリストを送信し、移動端末装置が、それらのセルを識別する一連の手続きおよび識別されたセルに対する一連のシステム間測定を定期的に行うセルラー遠隔通信ネットワークにおける、セルを再選択する方法を提案する。
【０００９】
本発明によれば、２つの連続する識別する手続きの合間に、移動端末装置は、測定手続きとそれに後続する一連の識別手続きとを行うのにかかる合計時間が２５秒間より短くなるように、時間が固定された一連の測定手続きを実行する。
【００１０】
本発明によれば、移動端末装置は、新たなセルの識別の後、長くても５秒間の最大時間の終りに確認測定を行うことができる。
【００１１】
好ましい実施態様では、システム間測定、およびセルを識別する手続きは、同じ頻度で行われる。
【００１２】
第２の実施態様では、システム間測定は、識別手続きの頻度より高い頻度で行われる。
【００１３】
本発明による方法は、さらに、各セルに関して行われた測定を所定の選択基準と比較するステップと、先行するステップの比較での結果に応じてＵＭＴＳセルを選択し直すステップと、を含むことができる。
【００１４】
変形実施態様では、本発明は、測定の平均値を得るようにスライドする時間窓に対して測定を行うステップを含む。
【００１５】
また、本発明は、ＵＭＴＳセルを識別する一連の手続き、および識別されたセルに対する一連のシステム間測定を定期的に行う手段を含む、ＧＳＭ−ＵＭＴＳデュアルモードの移動端末装置にも関する。
【００１６】
本発明によれば、移動端末装置は、さらに、
ネットワークによって移動端末装置に示された複数のＵＭＴＳセルのうちから新たなＵＭＴＳセルを識別するための時間窓を２０秒ごとに割り当てる手段であって、その時間窓が、ネットワークのセルにおいて使用される様々な搬送周波数に交互に割り当てられる手段と、
同一の搬送周波数に属する既に識別されたＵＭＴＳセルに対する測定を５秒毎に同時に行う手段と、
をさらに含む。
【００１７】
好ましくは、移動端末装置は、識別され、所定の再選択の基準を満たす新たな各セルに対して確認測定を行う手段を含み、その確認測定は、その新たなセルが識別されてから遅くても５秒後に行われる。
【発明の効果】
【００１８】
本発明によれば、移動端末装置のバッテリの寿命を延ばし、測定の信頼性を保ちながら、技術規格によってあらかじめ定められた遅延内に測定を行うことを可能となる。
【００１９】
本発明のその他の特徴および利点は、添付の図面を参照して非限定的な例として受け取るべき以下の説明から明らかになる。
【発明を実施するための最良の形態】
【００２０】
次に、本発明の好ましい実施の形態について、図面を参照して説明する。以下の説明は、ＧＳＭセル内でアイドルモードにあるＧＳＭ／ＵＭＴＳデュアルモード移動端末装置がＵＭＴＳセルを選択し直す手続きに関するものである。ＵＭＴＳセルの再選択を準備するため、ネットワークは、移動端末装置に対し、ＧＳＭセルのリストと、例えばリストの隣接セルにおいて使用されるＣＤＭＡ符号または搬送周波数など、識別すべきＵＭＴＳセルに関する少なくとも１つの情報を含む隣接するＵＭＴＳセルのリストとを送信することを想い起こされたい。端末装置はまず、自らの無線環境内に存在するリストのあらゆるセルのうちからＵＭＴＳセルを識別しなければならない。このため端末装置は、例えば、識別すべきＵＭＴＳセルの固有のＣＤＭＡ符号を受信し、その符号を使用して、３ＧＰＰの技術規格によって規定される計算手続きによって、そのセルのタイムベース（時間基準）を推定する。セルは、セルのタイムベースおよびシグネチュア（署名）がこの計算手続きによって判別されたときに、識別される。
【００２１】
このように識別された各セルに関して、移動端末装置は、定期的測定を行い、その測定の結果に応じて、技術規格によって規定された選択基準を適用する。その基準が満たされたとき、端末装置は、識別され測定されたＵＭＴＳセルの１つに切り替える決定を行うことができる。
【００２２】
図１は、端末装置が、セルを識別する一連の手続きと識別されたセルに対する一連のシステム間測定とを定期的に行う、本発明の方法の第１の実施形態を概略的に示している。
【００２３】
この実施形態は、新たなＵＭＴＳセルを識別するための時間窓を期間Ｔp＝２０秒毎に割り当てることにある第１のステップを含み、ＧＳＭネットワークは、それらのＵＭＴＳセルに関連するＣＤＭＡ符号を提供する。この連続する時間窓は、ネットワークによって移動端末装置に与えられるリストの中に存在する様々な搬送周波数に、交互に割り当てられる。図１のケースでは、３つの搬送周波数ｆ0、ｆ1、およびｆ2が、ネットワークの基地局によって使用されている。第１の時間窓２が、セルにおいてネットワークが搬送周波数ｆ0を使用しているようなセルの識別に割り当てられ、２０秒後に開いている第２の時間窓４が、ネットワークが搬送周波数ｆ1を使用するセルの識別に当てられ、最後に、またその２０秒後に開いている第３の時間窓６が、搬送周波数ｆ2におけるセルの識別に割り当てられる。
【００２４】
２０秒の各期間Ｔpは、４つの５秒間のサブ期間８に細分化される。各サブ期間は、移動端末装置が搬送周波数ｆ0、ｆ1、ｆ2のうちの１つにおける新たなセルを識別する手続きを行う第１の間隔Ｔciと、移動端末装置が、既に識別されネットワークが搬送周波数ｆ0、ｆ1、およびｆ2を使用するセルにおいて測定を行う第２の間隔Ｔcmuと、をそれぞれ含む。
【００２５】
本発明の好ましい実施形態では、以上の測定は、スライドする窓によるフィルタリングの原理にしたがって平均されることが可能である。
【００２６】
処理の流れにしたがって識別された新たなセルが、次の測定間隔Ｔcmuに組み込まれる。
【００２７】
矢印１０に示されるように新たなセルが識別されたとき、そのセルは、規格［３ＧＰＰ  ０５．０８  セクション  ６．６．５］で規定される再選択の基準を満たした場合、より良好になってから５秒後に、矢印１２で示されるように再測定される。前もって端末装置は、新たなセルの識別に対応する矢印１０によって示される時点に続く間隔中に、既に識別されたすべての他のＵＭＴＳセルに対して測定を行って、その間に他のＵＭＴＳセルのうちでより良好になっているものが存在しないことを確かめる。
【００２８】
したがって、新たなＵＭＴＳセルが識別され、そのＵＭＴＳセルが、現行のＧＳＭセルと比べて、また前もって識別されたＵＭＴＳセルと比べて最良の品質を有することを確認された後、測定の新たな窓が開かれる。この窓の中で、処理の流れにしたがって識別されたＵＭＴＳセル、ならびに前もって識別されているセルが測定される。５秒後、新たな窓が再び開かれ、識別されたすべてのＵＭＴＳセルに対して新たな測定が行われる。この新たな測定において、５秒前に識別されたｆ0における新たなセルに対して行われた測定がフィルタリングされる可能性がある。
【００２９】
図２は、２０秒の期間Ｔpが等しい時間の測定サブ期間に細分化されない、本発明の第２のすなわち変形実施形態を示している。この場合、測定は、時間窓１４の中で２０秒毎に行われる。この変形実施形態の利点は、測定がより間をあけて行われ、したがって、アイドル状態のＧＳＭモードの移動端末装置が目覚める回数が少なくなることによる。これにより、バッテリのエネルギーのより良好な管理がもたらされる。
【００３０】
第１の実施形態と同様に、矢印１６で示すように新たなセルが識別されたときに、そのセルが規格［３ＧＰＰ  ０５．０８  セクション  ６．６．５］で規定される再選択の基準を満たした場合、そのセルは、より良好になってから５秒後に、矢印１８で示すように、再測定される。第１の実施形態と同様に、端末装置は、間隔２０中に、既に識別されているすべての他のＵＭＴＳセルに対する測定を同時に同じ搬送周波数で行って、その間に他のＵＭＴＳセルのうちでより良好になっているものが存在しないことを確かめる。
【００３１】
上述の２つの実施形態において、この方法は、１つは測定を行うため、もう１つは新たなセルを識別しようと試みるための２つのタイプの窓を定期的に割り当てることを可能にする。この方法はさらに、５秒毎に１回、測定をフィルタリングすること、測定のサンプリングのリズムを５秒から２０秒に変更することを可能にする。
【００３２】
上述の２つの実施形態では、端末装置は、新たなセルを識別する段階を２０秒毎に１回、ネットワークによって端末装置に与えられたリスト中に存在する各搬送周波数に関して交互に行う。ただし、端末装置は、識別を行う同じ期間Ｔp中に、様々な周波数におけるセルの識別を行うこともできる。
【００３３】
図３は、本発明による移動端末装置の一例を示している。
【００３４】
移動端末装置３０は、ＧＳＭ−ＵＭＴＳデュアルモードの移動端末装置であって、アンテナ３２と、アンテナ３２に接続した高周波信号処理部３４と、ＵＭＴＳセルを識別する一連の手続き、および識別されたセルに対する一連のシステム間測定を定期的に行う測定部３６と、携帯電話機としての通常の機能、例えば、発呼や音声通話などを実現する電話部３８と、を備えている。測定部３６及び電話部３８は、高周波信号処理部３４に接続している。測定部３６には、特に、ネットワークによって移動端末装置３０に示された複数のＵＭＴＳセルのうちから新たなＵＭＴＳセルを識別するための時間窓を２０秒毎に割り当てる割り当て部４０と、同一の搬送周波数に属する既に識別されたＵＭＴＳセルに対する測定を５秒毎に同時に行う同時測定部４２と、識別され、所定の再選択の基準を満たす新たな各セルに対して確認測定を行う確認測定部４４と、が設けられている。割り当て部４０は、時間窓が、ネットワークのセルにおいて使用される様々な搬送周波数に交互に割り当てられるようにする。また、確認測定部４４は、その新たなセルが識別されてから遅くても５秒後に確認測定を実行する。
【図面の簡単な説明】
【００３５】
【図１】本発明の第１の実施形態を示すタイミング図である。
【図２】本発明の第２の実施形態を示すタイミング図である。
【図３】本発明による移動端末装置の一例を示すブロック図である。
【符号の説明】
【００３６】
２、４、６    時間窓
８    サブ期間
３０    移動端末装置
３２    アンテナ
３４    高周波信号処理部
３６    測定部
３８    電話部
４０    割り当て部
４２    同時測定部
４４    確認測定部
【図１】
2004180325.tif 000003
【図２】
2004180325.tif 000004
【図３】
2004180325.tif 000005